(57)【特許請求の範囲】
【請求項１】
前枠と、該前枠に遊技者側の前面側にて開閉可能となるように取り付けられ、遊技領域を視認可能とする窓部を有する前面カバー部材と、を備えた遊技機において、
前記前枠は、前記前面カバー部材を閉じた場合に、該前面カバー部材の内壁面近傍の表面部に該内壁面に対向するように前面側方向へ立設される補強リブ部と、
前記補強リブ部の外側の側壁部に沿って形成される溝部と、を有し、
前記溝部は、前記側壁部の基端部に沿うとともに外側方向に面する壁面を有し、前記溝部の前記壁面は、前記前枠の表面部に略垂直な垂直面よりも内側方向に傾斜するように形成されていることを特徴とする遊技機。
【発明の詳細な説明】
【技術分野】
【０００１】
本発明は、合成樹脂製の前枠と、この前枠に遊技者側の前面側にて開閉可能となるように取り付けられて、略中央部に遊技領域を視認可能とする窓部を有する前面カバー部材とが設けられた遊技機に関するものである。
【背景技術】
【０００２】
従来より、合成樹脂製の前枠と、この前枠に遊技者側の前面側にて開閉可能となるように取り付けられて、略中央部に遊技領域を視認可能とする窓部を有する前面カバー部材とが設けられた遊技機に関し種々提案されている。
例えば、合成樹脂製の前枠の上縁と左右両側縁に、前面側に突出する線状の補強リブを一体成形するようにし、前面カバー部材としてのガラス扉枠や前面板の側端面を該補強リブで覆った遊技機が提案されている（例えば、特許文献１参照。）。
これにより、この補強リブによって合成樹脂製の前枠の剛性を確実に向上させることができ、また、ガラス扉枠や前面板の側端面が覆われるため不正なこじ開け行為を防止することができる。
【先行技術文献】
【特許文献】
【０００３】
特開平９−１１７５５３号公報（段落（００１１）、図３、図１１）
【発明の概要】
【発明が解決しようとする課題】
【０００４】
しかしながら、上述した遊技機では、前枠は合成樹脂製であり、大型部品であるため、成形精度の制約から該前枠の補強リブと前面カバー部材の側端面との間に隙間が生じ、遊技機の前面部周囲の見栄えが悪くなるという問題がある。また、該前枠の補強リブと前面カバー部材の側端面との間の隙間から薄いプラスチック板等（例えば、厚さ０．５ｍｍ程度のプラスチック板等）を挿入し、遊技領域の電動役物などを操作して不正に賞球（所謂、景品球として払いだされる遊技球）を獲得することが可能になるという問題がある。
【０００５】
そこで、本発明は、上述した問題点を解決するためになされたものであり、合成樹脂製の前枠の剛性を向上させつつ、遊技機の前面部周囲の見栄えを良くすると共に、前面カバー部材の側端面と合成樹脂製の前枠との間に生じる隙間からの薄いプラスチック板等の遊技領域への侵入が極めて困難な遊技機を提供することを目的とする。
【課題を解決するための手段】
【０００６】
前記目的を達成するため請求項１に係る遊技機は、前枠と、該前枠に遊技者側の前面側にて開閉可能となるように取り付けられ、遊技領域を視認可能とする窓部を有する前面カバー部材と、を備えた遊技機において、前記前枠は、前記前面カバー部材を閉じた場合に、該前面カバー部材の内壁面近傍の表面部に該内壁面に対向するように前面側方向へ立設される補強リブ部と、前記補強リブ部の外側の側壁部に沿って形成される溝部と、を有し、前記溝部は、前記側壁部の基端部に沿うとともに外側方向に面する壁面を有し、前記溝部の前記壁面は、前記前枠の表面部に略垂直な垂直面よりも内側方向に傾斜するように形成されていることを特徴とする。
【０００７】
このような特徴を有する請求項１に係る遊技機においては、前枠は、遊技領域を視認可能とする窓部を有する前面カバー部材を閉じた場合に、該前面カバー部材の内壁面近傍の表面部には、補強リブ部が、該前面カバー部材の内壁面に対向するように前面側方向に立設されている。また、補強リブ部の外側の側壁部に沿って溝部が形成されている。更に、この溝部は、外側方向に面する壁面が補強リブ部の側壁部の基端部に沿うように設けられるとともに、この壁面は前枠の表面部に略垂直な垂直面よりも内側方向に傾斜するように形成されている。
これにより、前面カバー部材を閉じた場合に、該前面カバー部材の内壁面に対向するように前面側方向に立設される補強リブ部によって、前枠の剛性を確実に向上させることができると共に、該前面カバー部材を閉じた場合には、この補強リブ部は前面カバー部材によって覆われるため、遊技機の前面側周縁部に隙間などが発生することなく、見栄えを良くすることできる。また、前枠と前面カバー部材の側端面との間の隙間から薄いプラスチック板等を挿入した場合に、このプラスチック板が補強リブ部の外側の側壁部に当たって遊技機の後側方向に曲がった時は、この側壁部の基端部に沿うとともに前枠の表面部に略垂直な垂直面よりも内側方向に傾斜するように形成された壁面に沿ってスムーズに溝部内に進入するため、薄いプラスチック板は、この壁面の奥側端縁部で遊技機の裏側方向に押圧された状態で行き止まりとなり、遊技領域への侵入を極めて困難にすることが可能となる。
尚、前面カバー部材を枢支するヒンジ部材等が取り付けられて、該ヒンジ部材等によって前面カバー部材の側面部を覆う部分に対向する前枠の前面部には、この補強リブ部を立設せず、一部分途切れた状態で該補強リブ部を立設する構成にしてもよい。これにより、ヒンジ部材などが取り付けられる部分の複雑な形状に合わせて補強リブ部を形成する必要が無く、該補強リブ部の形状が簡易な形状となり前枠の成形加工を容易に行うことができる。また、補強リブ部の途切れた部分に対向する前面カバー部材の側面部は、ヒンジ部材等によって覆われるため、この補強リブ部の途切れた部分から薄いプラスチック板などの遊技領域への侵入を極めて困難にすることが可能となる。
【図面の簡単な説明】
【０００８】
【図１】第１実施形態に係るパチンコ機全体を示した正面図である。
【図２】第１実施形態に係るパチンコ機において、前面カバー部材を外した際の正面図である。
【図３】第１実施形態に係るパチンコ機の前面カバー部材を示す図で、（Ａ）は正面図、（Ｂ）は平面図である。
【図４】図２のＢ−Ｂ切断面を模式的に示す図で、（Ａ）はＢ−Ｂ矢視断面図、（Ｂ）はＣ部拡大図である。
【図５】図１のＡ−Ａ切断面を模式的に示す図で、（Ａ）はＡ−Ａ矢視断面図、（Ｂ）はＤ部拡大図である。
【図６】第２実施形態に係るパチンコ機全体を示した正面図である。
【図７】第２実施形態に係るパチンコ機において、前面カバー部材を外した際の正面図である。
【図８】図７のＦ−Ｆ切断面を模式的に示す図で、（Ａ）はＦ−Ｆ矢視断面図、（Ｂ）はＧ部拡大図である。
【図９】図６のＥ−Ｅ切断面を模式的に示す図で、（Ａ）はＥ−Ｅ矢視断面図、（Ｂ）はＨ部拡大図である。
【図１０】第３実施形態に係るパチンコ機全体を示した正面図である。
【図１１】第３実施形態に係るパチンコ機において、前面カバー部材を外した際の正面図である。
【図１２】第３実施形態に係るパチンコ機の前面カバー部材を示す図で、（Ａ）は正面図、（Ｂ）は平面図である。
【図１３】図１１のＪ−Ｊ切断面を模式的に示す図で、（Ａ）はＪ−Ｊ矢視断面図、（Ｂ）はＫ部拡大図である。
【図１４】図１０のＩ−Ｉ切断面を模式的に示す図で、（Ａ）はＩ−Ｉ矢視断面図、（Ｂ）はＬ部拡大図である。
【図１５】第４実施形態に係るパチンコ機の前面カバー部材を閉じた状態における、補強リブ部及び溝部を含む要部拡大断面図である。
【図１６】第５実施形態に係るパチンコ機の前面カバー部材を閉じた状態における、補強リブ部及び溝部を含む要部拡大断面図である。
【図１７】第６実施形態に係るパチンコ機の前面カバー部材を閉じた状態における、補強リブ部及び溝部を含む要部拡大断面図である。
【図１８】第７実施形態に係るパチンコ機の前面カバー部材を閉じた状態における、補強リブ部及び溝部を含む要部拡大断面図である。
【図１９】第８実施形態に係るパチンコ機の前面カバー部材を閉じた状態における、補強リブ部及び溝部を含む要部拡大断面図である。
【図２０】第９実施形態に係るパチンコ機の前面カバー部材を閉じた状態における、補強リブ部及び溝部を含む要部拡大断面図である。
【発明を実施するための形態】
【０００９】
以下、本発明に係る遊技機をパチンコ機について具体化した第１実施形態乃至第９実施形態を図面を参照して詳細に説明する。
（第１実施形態）
先ず、第１実施形態に係るパチンコ機の概略構成について図１乃至図３に基づき説明する。
図１乃至図３に示すように、第１実施形態に係るパチンコ機１は、所定量のパチンコ球を賞球として払い出す、いわゆる第１種パチンコ機で、一般にＣＲ機（カードリーディング機）と称され、カード式球貸機とパチンコ機１とによって構成され、これらは対をなして設置されるが、図１及び図２においては、カード式球貸機の図示を省略している。パチンコ機１は、木製の外枠２に対して合成樹脂製の前枠３が、前枠取付用ヒンジを構成する上ヒンジ４及び下ヒンジ５を介して外枠２に対して開閉自在に取り付けられている。そして、この前枠３のほぼ上半分の前側には、樹脂製の前面カバー部材７が左端縁部の上下を軸支されて開閉自在に取付けられている。また、この前面カバー部材７のほぼ中央部には略円形の窓部８が開設され、この窓部８の外周縁部に形成されるガラス保持枠に装着された２枚のガラスを通して遊技領域を見ることができるように構成されている。また、前面カバー部材７の窓部８の上端縁部には、フルカラーの発光ダイオードが内蔵され、遊技中のエラーを表示するエラー表示電飾ランプ１０が取付けられている。また、このエラー表示電飾ランプ１０の左右外側には、「当たり」等の発生を報知したり遊技中に光演出をする各電飾ランプ１１が取付けられている。また、前面カバー部材７の前面部分は、不透明な合成樹脂製の前面部材１３で覆われており、この各電飾ランプ１０、１１と窓部８の上端周縁部との間に、不図示のフルカラーダイオードが左右方向に内蔵され、遊技中に光演出が行われる。
【００１０】
また、前面カバー部材７の右側中央部には、前枠３及び前面カバー部材７を施錠する施錠装置（不図示）を操作するための鍵挿入部１２が設けられている。前面カバー部材７を開くためには、この鍵挿入部１２に所定のキーを挿入して所定方向に回せば、施錠装置のロック状態が解除されて、前面カバー部材７のみがオープンされる。
【００１１】
また、この前面カバー部材７の下側には、公知の賞球払出装置（特開平１１−３０９２６５号公報等参照）を介して払い出される賞球を受ける上皿１５がスピーカ１５Ａを内蔵して樹脂製プレート１６に配設されている。また、このプレート１６は、左端縁部の上下を軸支されて、前面カバー部材７を開放後、内側に設けられた不図示のレバーを下げることにより開放できるように取付けられている。また、この上皿１５の中央前面部には、カード式球貸機の操作ボタン１５Ｂ、１５Ｃ及びカード残高表示装置１５Ｄが設けられている。そして、その上皿１５の下には、下皿１８が配設される。また、上皿１５に連通する不図示の球送り機構を介して上皿１５のパチンコ球が操作ハンドル１９に連結された不図示の発射装置へ送られるよう構成されている。
【００１２】
また、図２に示すように、前枠３の前面カバー部材７に対向する部分の略中央部には不図示の遊技盤などが着脱可能に配設される正面視略四角形の開口部２１が設けられている。また、この開口部２１の上端縁部及び左右端縁部の周縁には、補強リブ部２３が前面カバー部材７の上辺部及び左右側壁部のほぼ全長に対向するように、該前枠３の表面部から略垂直外側方向に突き出すように直線状に形成されている。また、後述のように補強リブ部２３の外側側壁部２３Ａの基端部には、溝部２４が形成されている（図４参照）。そして、図１に示すように、前枠３の前面側に前面カバー部材７を取り付けて閉じた場合には、各補強リブ部２３及び溝部２４は、該前面カバー部材７で覆われる（図５参照）。
【００１３】
次に、前枠３の前面部に形成される補強リブ部２３及び溝部２４について図４に基づいて説明する。
図４に示すように、補強リブ部２３は、側断面略長方形で前枠３の前側表面部から略垂直に突き出るように一体成形されている。また、この補強リブ部２３の前枠３の表面部からの高さ寸法は、後述のように上端面部が前面カバー部材７の裏側面近傍に位置し、該前面カバー部材７の裏側面に当たらないように形成されている。
また、この補強リブ部２３の外側側壁部２３Ａの基端部に沿って形成される溝部２４は、前枠３の表面部に略垂直な垂直面２４Ａと、この垂直面２４Ａの裏側方向（図４中、下側方向）端縁部から、鋭角を形成して外側方向（図４中、右側上方向）に延出される平面状の傾斜面２４Ｂと、から構成されている。また、この傾斜面２４Ｂの前枠３の表面側端縁部は、後述のように前面カバー部材７の内側側壁部よりも内側に位置するように形成されている（図５参照）。
【００１４】
次に、パチンコ機１の前面カバー部材７を閉じた状態の補強リブ部２３及び溝部２４について図５に基づいて説明する。
図５に示すように、パチンコ機１の前面カバー部材７を閉じた状態では、該前面カバー部材７の上辺部及び左右側辺部の後側端面部（図５中、下側端面部）が前枠３の前側周縁部表面（図５中、上側周縁部表面）に当接され、該前枠３の前面部は、前面カバー部材７によってほぼ覆われ、遊技者側の前面側から見えなくなる。また、溝部２４を形成する傾斜面２４Ｂの前枠３の表面側端縁部は、前面カバー部材７の上辺部及び左右側辺部の後側端面部よりも少し内側になる位置に形成されている。また、補強リブ部２３の先端部（図５中、上端面部）は、前面カバー部材７の裏側面の近傍まで延出されている。
これにより、例えば、前面カバー部材７の側壁部と前枠３との隙間から薄いプラスチック板（例えば、厚さ寸法約０．５ｍｍのプラスチック板）を挿入した場合には、該プラスチック板の先端部が補強リブ部２３の外側側壁部２３Ａに当接後、溝部２４の垂直面２４Ａに沿って裏側方向（図５中、下側方向）に少しでも曲がれば、矢印２８方向に溝部２４内に進入して、該垂直面２３Ａと傾斜面２４Ｂとで形成される溝部２４の奥側で行き止まりとなり、補強リブ部２３を乗り越えて、遊技領域方向（図５中、左方向）に侵入できなくなる。
【００１５】
ここで、垂直面２４Ａは、第１壁面として機能する。また、傾斜面２４Ｂは、第２壁面として機能する。
【００１６】
以上説明した通り第１実施形態に係るパチンコ機１では、合成樹脂製の前枠３の前面部には、前面カバー部材７を閉じた場合に、該前面カバー部材７の内壁面の上辺部及び左右側辺部のほぼ全長に渡って対向するように補強リブ部２３が立設されている。また、補強リブ部２３の外側側壁部２３Ａの基端部には、この前枠３の表面部に略垂直な垂直面２４Ａと、この垂直面２４Ａの裏側方向端縁部から鋭角を形成して外側方向に延出される傾斜面２４Ｂとから構成される溝部２４が形成されている。また、この傾斜面２４Ｂの前枠３の表面側端縁部は、前面カバー部材７の内側側壁部よりも内側に位置するように形成されている。
【００１７】
従って、この補強リブ部２３によって、合成樹脂製の前枠３の剛性を確実に向上させることができると共に、該前面カバー部材７を閉じた場合には、この補強リブ部２３及び溝部２４は前面カバー部材７によって覆われるため、パチンコ機１の前面側周縁部に隙間などが発生することなく、見栄えを良くすることできる。
また、合成樹脂製の前枠３と前面カバー部材７の側端面との間の隙間から薄いプラスチック板等を挿入しても、このプラスチック板は遊技領域に達するためには、補強リブ部２３の外側の側壁部に当たった後、略直角に曲がり、更に、この補強リブ部２３を乗り越える必要があるため、薄いプラスチック板等の遊技領域への侵入を極めて困難にすることが可能となる。また、合成樹脂製の前枠３と前面カバー部材７の側端面との間の隙間から薄いプラスチック板等を挿入した場合に、このプラスチック板が補強リブ部２３の外側側壁部２３Ａに当たってパチンコ機１の後側方向に曲がった時は、この外側側壁部２３Ａの基端部に沿って形成される溝部２４の該前枠３の表面部に略垂直な垂直面２４Ａに沿って傾斜面２４Ｂに沿うように溝部２４内に進入するため、行き止まりとなり、薄いプラスチック板などの遊技領域への侵入を更に極めて困難にすることが可能となる。
【００１８】
（第２実施形態）
次に、第２実施形態に係るパチンコ機について図６乃至図９に基づいて説明する。尚、上記第１実施形態に係るパチンコ機１と同一符号は、上記第１実施形態に係るパチンコ機１と同一あるいは相当部分を示すものである。
この第２実施形態に係るパチンコ機の概略構成は、第１実施形態に係るパチンコ機１の構成とほぼ同じ構成である。但し、第２実施形態に係るパチンコ機の合成樹脂製の前枠の前面部に形成される補強リブ部及び溝部の構成は、後述のように第１実施形態に係るパチンコ機１の補強リブ部２３及び溝部２４の構成と異なっている。
【００１９】
図６及び図７に示すように、第２実施形態に係るパチンコ機３１の概略構成は、上記第１実施形態に係るパチンコ機１とほぼ同じ概略構成である（図１乃至図３参照）。但し、図７に示すように、前枠３の略中央部に設けられる開口部２１の上端縁部及び左右端縁部の周縁には、補強リブ部３２が前面カバー部材７の上辺部及び左右側辺部のほぼ全長に対向するように、該前枠３の表面部から略垂直外側方向に突き出すように直線状に形成されている。また、後述のように補強リブ部３２の外側側壁部３２Ａの基端部には、溝部３３が形成されている（図８参照）。そして、図６に示すように、前枠３の前面側に前面カバー部材７を取り付けて閉じた場合には、各補強リブ部３２及び溝部３３は、該前面カバー部材７で覆われる（図９参照）。
【００２０】
次に、前枠３の前面部に形成される補強リブ部３２及び溝部３３について図８に基づいて説明する。
図８に示すように、補強リブ部３２は、側断面略長方形で前枠３の前側表面部から略垂直に突き出るように一体成形されている。また、この補強リブ部３２の前枠３の表面部からの高さ寸法は、後述のように上端面部が前面カバー部材７の裏側面近傍に位置し、該前面カバー部材７の裏側面に当たらないように形成されている。また、この補強リブ部３２の上端面の外側側縁部には、面取部３２Ａが形成され、前面カバー部材７を遊技者側の前面側に開く際に、この前面カバー部材７の裏側端面部と干渉しないように構成されている。尚、この補強リブ部３２は、第１実施形態に係るパチンコ機１の開口部２１の周縁部に形成される補強リブ部２３の立設される位置よりも少し外側方向の位置に形成されている。即ち、該前面カバー部材７を閉じた際に、補強リブ部３２は、該前面カバー部材７の裏側側壁面に対して第１実施形態に係るパチンコ機１の補強リブ部２３よりも近い位置に立設されている。
【００２１】
また、この補強リブ部３２の外側側壁部３２Ｂの基端部に沿って形成される溝部３３は、前枠３の表面部に略垂直な垂直面３３Ａと、この垂直面３３Ａの裏側方向（図８中、下側方向）端縁部から、鋭角を形成して外側方向（図８中、右側上方向）に延出される平面状の傾斜面３３Ｂと、から構成されている。また、この傾斜面３３Ｂの前枠３の表面側端縁部は、後述のように前面カバー部材７の前枠３の周縁表面部に対向する裏側端面内に対向するように形成されている（図９参照）。
【００２２】
次に、パチンコ機３１の前面カバー部材７を閉じた状態の補強リブ部３２及び溝部３３について図９に基づいて説明する。
図９に示すように、パチンコ機３１の前面カバー部材７を閉じた状態では、該前面カバー部材７の上辺部及び左右側辺部の後側端面部（図９中、下側端面部）が前枠３の前側周縁部表面（図９中、上側周縁部表面）に当接され、該前枠３の前面部は、前面カバー部材７によってほぼ覆われ、遊技者側の前面側から見えなくなる。また、溝部３３を形成する傾斜面３３Ｂの前枠３の表面側端縁部は、前面カバー部材７の上辺部及び左右側辺部の後側端面部の内側側縁部と外側側縁部との間の位置に対向するように形成されている。例えば、図９（Ｂ）に示すように、溝部３３を形成する傾斜面３３Ｂの前枠３の表面側端縁部は、前面カバー部材７の上辺部及び左右側辺部の後側端面部の内側側縁部よりも少し外側方向の位置に対向する位置に形成されている。また、補強リブ部３２の先端部（図９中、上端面部）は、前面カバー部材７の裏側面の近傍まで延出されている。
【００２３】
これにより、例えば、前面カバー部材７の側壁部と前枠３との隙間から薄いプラスチック板（例えば、厚さ寸法約０．５ｍｍのプラスチック板）等を挿入した場合には、該プラスチック板の先端部が補強リブ部３２の外側側壁部３２Ａに当接すると共に、溝部３３の開口部（図９（Ｂ）中、上端部）でプラスチック板の片側表面部が前面カバー部材７の上辺部及び左右側辺部の後側端面部の内側側縁部に当接する。従って、プラスチック板の先端部は、溝部３３の垂直面３３Ａに沿って裏側方向（図９中、下側方向）に曲がり易くなる。そして、図９（Ｂ）に示すように、矢印３５方向に溝部３３内に進入して、該垂直面３３Ａと傾斜面３３Ｂとで形成される溝部３３の奥側で行き止まりとなり、補強リブ部３２を乗り越えて、遊技領域方向（図９中、左方向）に侵入できなくなる。
【００２４】
ここで、垂直面３３Ａは、第１壁面として機能する。また、傾斜面３３Ｂは、第２壁面として機能する。
【００２５】
以上説明した通り第２実施形態に係るパチンコ機３１では、合成樹脂製の前枠３の前面部には、前面カバー部材７を閉じた場合に、該前面カバー部材７の内壁面の上辺部及び左右側辺部のほぼ全長に渡って対向するように補強リブ部３２が立設されている。また、補強リブ部３２の外側側壁部３２Ｂの基端部には、この前枠３の表面部に略垂直な垂直面３３Ａと、この垂直面３３Ａの裏側方向端縁部から鋭角を形成して外側方向に延出される傾斜面３３Ｂとから構成される溝部３３が形成されている。また、この傾斜面３３Ｂの前枠３の表面側端縁部は、前面カバー部材７の上辺部及び左右側辺部の後側端面部の内側側縁部と外側側縁部との間の位置に対向するように形成されている。
【００２６】
従って、この補強リブ部３２によって、合成樹脂製の前枠３の剛性を確実に向上させることができると共に、該前面カバー部材７を閉じた場合には、この補強リブ部３２は前面カバー部材７によって覆われるため、パチンコ機３１の前面側周縁部に隙間などが発生することなく、見栄えを良くすることできる。
また、溝部３３の傾斜面３３Ｂの前枠３の表面側端縁部は、前面カバー部材７の上辺部及び左右側辺部の後側端面部の内側側縁部と外側側縁部との間の位置に対向するように形成されているため、補強リブ部３２を前面カバー部材７の上辺部及び左右側辺部の内側側壁部により近づけて立設することが可能となる。このため、合成樹脂製の前枠３と前面カバー部材７の側端面との間の隙間から薄いプラスチック板等を挿入しても、このプラスチック板は遊技領域に達するためには、補強リブ部３２の外側の側壁部に当たった後、略直角に曲がり、更に、この補強リブ部３２を乗り越える必要があるため、薄いプラスチック板等の遊技領域への侵入を困難にすることが可能となる。
また、合成樹脂製の前枠３と前面カバー部材７の側端面との間の隙間から薄いプラスチック板等を挿入した場合には、プラスチック板の先端部は、溝部３３の垂直面３３Ａに沿って傾斜面３３Ｂ方向に強制的に曲げられつつ溝部３３内に進入させられて、該溝部３３の鋭角な底部で行き止まりとなり、薄いプラスチック板などの遊技領域への侵入を極めて困難にすることが可能となる。
【００２７】
（第３実施形態）
次に、第３実施形態に係るパチンコ機について図１０乃至図１４に基づいて説明する。尚、上記第１実施形態に係るパチンコ機１と同一符号は、上記第１実施形態に係るパチンコ機１と同一あるいは相当部分を示すものである。
この第３実施形態に係るパチンコ機の概略構成は、第１実施形態に係るパチンコ機１の構成とほぼ同じ構成である。但し、第３実施形態に係るパチンコ機の合成樹脂製の前枠の前面部に形成される補強リブ部及び溝部の構成と、前面カバー部材の該溝部に対向する部分の形状は、後述のように第１実施形態に係るパチンコ機１の構成と異なっている。
【００２８】
図１０乃至図１２に示すように、第３実施形態に係るパチンコ機４１の概略構成は、上記第１実施形態に係るパチンコ機１とほぼ同じ概略構成である（図１乃至図３参照）。但し、図１１に示すように、前枠３の略中央部に設けられる開口部２１の上端縁部及び左右端縁部の周縁には、補強リブ部４２が前面カバー部材７の上辺部及び左右側壁部のほぼ全長に対向するように、該前枠３の表面部から略垂直外側方向に突き出すように直線状に形成されている。また、後述のように補強リブ部４２の外側側壁部４２Ａの基端部には、溝部４３が形成されている（図１３参照）。
また、図１２に示すように、前面カバー部材７の溝部４３に対向する上辺部及び左右側辺部の内側周縁部には、案内リブ部が裏側方向（図１２（Ｂ）中、上側方向）に延出されて形成されている（図１４参照）。そして、図１０に示すように、前枠３の前面側に前面カバー部材７を取り付けて閉じた場合には、各補強リブ部４２及び溝部４３は、該前面カバー部材７で覆われる（図１４参照）。
【００２９】
次に、前枠３の前面部に形成される補強リブ部４２及び溝部４３について図１３に基づいて説明する。
図１３に示すように、補強リブ部４２は、側断面略長方形で前枠３の前側表面部から略垂直に突き出るように一体成形されている。また、この補強リブ部４２の前枠３の表面部からの高さ寸法は、後述のように上端面部が前面カバー部材７の裏側面近傍に位置し、該前面カバー部材７の裏側面に当たらないように形成されている。また、この補強リブ部４２の上端面の外側側縁部には、面取部４２Ａが形成され、前面カバー部材７を遊技者側の前面側に開く際に、この前面カバー部材７の裏側端面部と干渉しないように構成されている。尚、この補強リブ部４２は、第１実施形態に係るパチンコ機１の開口部２１の周縁部に形成される補強リブ部２３の立設される位置よりも少し外側方向の位置に形成されている。即ち、該前面カバー部材７を閉じた際に、補強リブ部４２は、該前面カバー部材７の裏側側壁面に対して第１実施形態に係るパチンコ機１の補強リブ部２３よりも近い位置に立設されている。
【００３０】
また、この補強リブ部４２の外側側壁部４２Ｂの基端部に沿って形成される溝部４３は、前枠３の表面部に略垂直な垂直面４３Ａと、この垂直面４３Ａの裏側方向（図１３中、下側方向）端縁部から、鋭角を形成して外側方向（図１３中、右側上方向）に延出される平面状の傾斜面４３Ｂと、から構成されている。また、この傾斜面４３Ｂの前枠３の表面側端縁部は、後述のように前面カバー部材７の前枠３の周縁表面部に対向する裏側端面内に対向するように形成されている（図１４参照）。
【００３１】
次に、パチンコ機４１の前面カバー部材７を閉じた状態の補強リブ部４２、溝部４３及び案内リブ部４４の概略構成について図１４に基づいて説明する。
図１４に示すように、パチンコ機４１の前面カバー部材７を閉じた状態では、該前面カバー部材７の上辺部及び左右側辺部の後側端面部（図１４中、下側端面部）が前枠３の前側周縁部表面（図１４中、上側周縁部表面）に当接され、該前枠３の前面部は、前面カバー部材７によってほぼ覆われ、遊技者側の前面側から見えなくなる。また、溝部４３を形成する傾斜面４３Ｂの前枠３の表面側端縁部は、前面カバー部材７の上辺部及び左右側辺部の後側端面部の内側側縁部と外側側縁部との間の位置に対向するように形成されている。例えば、図１４（Ｂ）に示すように、溝部４３を形成する傾斜面４３Ｂの前枠３の表面側端縁部は、前面カバー部材７の上辺部及び左右側辺部の後側端面部の内側側縁部よりも少し外側方向の位置に対向する位置に形成されている。また、補強リブ部４２の先端部（図１４中、上端面部）は、前面カバー部材７の裏側面の近傍まで延出されている。
また、前面カバー部材７の上辺部及び左右側辺部の溝部４３に対向する内側周縁部には、案内リブ部４４が該溝部４３の全長に渡って略垂直外側方向（図１４中、下側方向）に突き出すように直線状に形成されている。そして、前面カバー部材７を閉じた際には、この案内リブ部４４の上端部は、溝部４３内に挿入され、該溝部４３を構成する傾斜面４３Ｂの近傍に位置するように形成されている。
【００３２】
これにより、例えば、前面カバー部材７の側壁部と前枠３との隙間から薄いプラスチック板（例えば、厚さ寸法約０．５ｍｍのプラスチック板）等を挿入した場合には、該プラスチック板の先端部が前面カバー部材７の案内リブ部４４に当接して、溝部４３の傾斜面４３Ｂに沿って裏側方向（図１４中、下側方向）に曲げられ、該溝部４３の垂直面４３Ａと傾斜面４３Ｂとで形成される溝部４３の奥側で行き止まりとなり、補強リブ部４２を乗り越えて、遊技領域方向（図１４中、左方向）に進入できなくなる。また、案内リブ部４４の高さ寸法が低くても、プラスチック板の片側表面部が、溝部４３の開口部（図１４（Ｂ）中、上端部）でこの案内リブ部４４に当接する。従って、プラスチック板の先端部は、溝部４３の垂直面４３Ａに沿って裏側方向（図１４中、下側方向）に曲げられる。そして、図１４（Ｂ）に示すように、矢印４５方向に溝部４３内に進入して、該垂直面４３Ａと傾斜面４３Ｂとで形成される溝部４３の奥側で行き止まりとなり、補強リブ部４２を乗り越えて、遊技領域方向（図１４中、左方向）に侵入できなくなる。
【００３３】
ここで、垂直面４３Ａは、第１壁面として機能する。また、傾斜面４３Ｂは、第２壁面として機能する。
【００３４】
以上説明した通り第３実施形態に係るパチンコ機４１では、合成樹脂製の前枠３の前面部には、前面カバー部材７を閉じた場合に、該前面カバー部材７の内壁面の上辺部及び左右側辺部のほぼ全長に渡って対向するように補強リブ部４２が立設されている。また、補強リブ部４２の外側側壁部４２Ｂの基端部には、この前枠３の表面部に略垂直な垂直面４３Ａと、この垂直面４３Ａの裏側方向端縁部から鋭角を形成して外側方向に延出される傾斜面４３Ｂとから構成される溝部４３が形成されている。また、この傾斜面４３Ｂの前枠３の表面側端縁部は、前面カバー部材７の上辺部及び左右側辺部の後側端面部の内側側縁部と外側側縁部との間の位置に対向するように形成されている。また、前面カバー部材７の上辺部及び左右側辺部の溝部４３に対向する内側周縁部には、案内リブ部４４が該溝部４３の全長に渡って略垂直外側方向に突き出すように直線状に形成されている。
【００３５】
従って、この補強リブ部４２によって、合成樹脂製の前枠３の剛性を確実に向上させることができると共に、該前面カバー部材７を閉じた場合には、この補強リブ部４２及び溝部４３は前面カバー部材７によって覆われるため、パチンコ機４１の前面側周縁部に隙間などが発生することなく、見栄えを良くすることできる。
また、溝部４３の傾斜面４３Ｂの前枠３の表面側端縁部は、前面カバー部材７の上辺部及び左右側辺部の後側端面部の内側側縁部と外側側縁部との間の位置に対向するように形成されているため、補強リブ部４２を前面カバー部材７の上辺部及び左右側辺部の内側側壁部により近づけて立設することが可能となる。このため、合成樹脂製の前枠３と前面カバー部材７の側端面との間の隙間から薄いプラスチック板等を挿入しても、このプラスチック板は遊技領域に達するためには、補強リブ部４２の外側の側壁部に当たった後、略直角に曲がり、更に、この補強リブ部４２を乗り越える必要があるため、薄いプラスチック板等の遊技領域への侵入を困難にすることが可能となる。
また、合成樹脂製の前枠３と前面カバー部材７の側端面との間の隙間から薄いプラスチック板等を挿入した場合には、プラスチック板の先端部は、該プラスチック板の先端部が前面カバー部材７の案内リブ部４４に当接して、溝部４３の傾斜面４３Ｂに沿って裏側方向に曲げられ、該溝部４３の垂直面４３Ａと傾斜面４３Ｂとで形成される溝部４３の奥側で行き止まりとなり、補強リブ部４２を乗り越えて、遊技領域方向に侵入できなくなる。また、案内リブ部４４の高さ寸法が低くても、プラスチック板の片側表面部が、溝部４３の開口部でこの案内リブ部４４に当接するため、溝部４３の垂直面４３Ａに沿って裏側方向に強制的に曲げられつつ溝部４３内に進入させられて、該溝部４３の鋭角な底部で行き止まりとなり、薄いプラスチック板などの遊技領域への侵入を極めて困難にすることが可能となる。
【００３６】
（第４実施形態）
次に、第４実施形態に係るパチンコ機について図１５に基づいて説明する。尚、上記第１実施形態に係るパチンコ機１と同一符号は、上記第１実施形態に係るパチンコ機１と同一あるいは相当部分を示すものである。
この第４実施形態に係るパチンコ機の概略構成は、第１実施形態に係るパチンコ機１の構成とほぼ同じ構成である。但し、第４実施形態に係るパチンコ機の溝部の構成は、第１実施形態に係るパチンコ機１の溝部２４の構成と異なっている。
【００３７】
図１５に示すように、第４実施形態に係るパチンコ機５１の概略構成は、上記第１実施形態に係るパチンコ機１とほぼ同じ概略構成である（図１乃至図３参照）。但し、図１５に示すように、補強リブ部２３の外側側壁部２３Ａの基端部には、溝部５２が形成されている。この溝部５２は、前枠３の表面部に略垂直な垂直面５２Ａと、この垂直面５２Ａの裏側方向（図１５中、下側方向）端縁部から、鋭角を形成して外側方向（図１５中、右側上方向）に延出される平面状の傾斜面５２Ｂと、この傾斜面５２Ｂの前枠３の表面側方向の端縁部に形成される断面略円弧状の円弧部５２Ｃと、から構成されている。また、この円弧部５２Ｃの前枠３の表面側端縁部は、前面カバー部材７の内側側壁部よりも内側に位置するように形成されている。これにより、パチンコ機５１の前面カバー部材７を閉じた状態では、該前面カバー部材７の上辺部及び左右側辺部の後側端面部（図１５中、下側端面部）が前枠３の前側周縁部表面（図１５中、上側周縁部表面）に当接され、該前枠３の前面部は、前面カバー部材７によってほぼ覆われ、遊技者側の前面側から見えなくなる。また、溝部５２を形成する円弧部５２Ｃの前枠３の表面側端縁部は、前面カバー部材７の上辺部及び左右側辺部の後側端面部よりも少し内側になる位置に形成されている。また、補強リブ部２３の先端部（図１５中、上端面部）は、前面カバー部材７の裏側面の近傍まで延出されている。
【００３８】
従って、この補強リブ部２３によって、合成樹脂製の前枠３の剛性を確実に向上させることができると共に、該前面カバー部材７を閉じた場合には、この補強リブ部２３及び溝部５２は前面カバー部材７によって覆われるため、パチンコ機５１の前面側周縁部に隙間などが発生することなく、見栄えを良くすることできる。
また、合成樹脂製の前枠３と前面カバー部材７の側端面との間の隙間から薄いプラスチック板等を挿入しても、このプラスチック板は遊技領域に達するためには、補強リブ部２３の外側の側壁部に当たった後、略直角に曲がり、更に、この補強リブ部２３を乗り越える必要があるため、薄いプラスチック板等の遊技領域への侵入を極めて困難にすることが可能となる。また、合成樹脂製の前枠３と前面カバー部材７の側端面との間の隙間から薄いプラスチック板等を挿入した場合に、このプラスチック板が補強リブ部２３の外側側壁部２３Ａに当たった際に、円弧部５２Ｃに沿ってパチンコ機５１の後側方向に（矢印５３方向に）曲がり易くなり、この外側側壁部２３Ａの基端部に沿って形成される溝部５２の垂直面５２Ａに沿って傾斜面５２Ｂに沿うように溝部５２内に進入する可能性を高くすることができると共に、該溝部５２内に進入した場合には、行き止まりとなり、薄いプラスチック板などの遊技領域への侵入を更に極めて困難にすることが可能となる。
【００３９】
ここで、垂直面５２Ａは、第１壁面として機能する。また、傾斜面５２Ｂ及び円弧部５２Ｃは、第２壁面を構成する。
【００４０】
（第５実施形態）
次に、第５実施形態に係るパチンコ機について図１６に基づいて説明する。尚、上記第２実施形態に係るパチンコ機３１と同一符号は、上記第２実施形態に係るパチンコ機３１と同一あるいは相当部分を示すものである。
この第５実施形態に係るパチンコ機の概略構成は、第２実施形態に係るパチンコ機３１の構成とほぼ同じ構成である。但し、第５実施形態に係るパチンコ機の溝部の構成は、第２実施形態に係るパチンコ機３１の溝部３３の構成と異なっている。
【００４１】
図１６に示すように、第５実施形態に係るパチンコ機６１の概略構成は、上記第２実施形態に係るパチンコ機３１とほぼ同じ概略構成である（図６及び図７参照）。但し、図１６に示すように、補強リブ部３２の外側側壁部３２Ｂの基端部に沿って形成される溝部６２は、前枠３の表面部に略垂直な垂直面６２Ａと、この垂直面６２Ａの裏側方向（図１６中、下側方向）端縁部から、鋭角を形成して外側方向（図１６中、右側上方向）に延出される断面略円弧状の傾斜面６２Ｂと、から構成されている。また、この傾斜面６２Ｂの前枠３の表面側端縁部は、前面カバー部材７の前枠３の周縁表面部に対向する裏側端面内に対向するように形成されている。これにより、パチンコ機６１の前面カバー部材７を閉じた状態では、該前面カバー部材７の上辺部及び左右側辺部の後側端面部（図１６中、下側端面部）が前枠３の前側周縁部表面（図１６中、上側周縁部表面）に当接され、該前枠３の前面部は、前面カバー部材７によってほぼ覆われ、遊技者側の前面側から見えなくなる。また、溝部６２を形成する傾斜面６２Ｂの前枠３の表面側端縁部は、前面カバー部材７の上辺部及び左右側辺部の後側端面部の内側側縁部よりも少し外側方向の位置に対向する位置に形成される。また、補強リブ部３２の先端部（図１６中、上端面部）は、前面カバー部材７の裏側面の近傍まで延出されている。
【００４２】
従って、この補強リブ部３２によって、合成樹脂製の前枠３の剛性を確実に向上させることができると共に、該前面カバー部材７を閉じた場合には、この補強リブ部３２は前面カバー部材７によって覆われるため、パチンコ機６１の前面側周縁部に隙間などが発生することなく、見栄えを良くすることできる。
また、溝部６２の傾斜面６２Ｂの前枠３の表面側端縁部は、前面カバー部材７の上辺部及び左右側辺部の後側端面部の内側側縁部と外側側縁部との間の位置に対向するように形成されているため、補強リブ部３２を前面カバー部材７の上辺部及び左右側辺部の内側側壁部により近づけて立設することが可能となる。このため、合成樹脂製の前枠３と前面カバー部材７の側端面との間の隙間から薄いプラスチック板等を挿入しても、このプラスチック板は遊技領域に達するためには、補強リブ部３２の外側の側壁部に当たった後、略直角に曲がり、更に、この補強リブ部３２を乗り越える必要があるため、薄いプラスチック板等の遊技領域への侵入を困難にすることが可能となる。
また、合成樹脂製の前枠３と前面カバー部材７の側端面との間の隙間から薄いプラスチック板等を挿入した場合には、プラスチック板の先端部は、溝部６２の垂直面６２Ａに当たった際に、パチンコ機６１の裏側方向に（矢印６３方向に）より曲がり易くなると共に、溝部６２内に進入した薄いプラスチック板は、この溝部６２の全長に渡っていずれの位置においても、垂直面６２Ａの奥側端縁部で断面略円弧状の傾斜面６２Ｂに押し付けられるように押圧された状態で該溝部６２の鋭角な底部で行き止まりとなり、薄いプラスチック板などの遊技領域への侵入を極めて困難にすることが可能となる。
【００４３】
ここで、垂直面６２Ａは、第１壁面として機能する。また、傾斜面６２Ｂは、第２壁面として機能する。
【００４４】
（第６実施形態）
次に、第６実施形態に係るパチンコ機について図１７に基づいて説明する。尚、上記第３実施形態に係るパチンコ機４１と同一符号は、上記第３実施形態に係るパチンコ機４１と同一あるいは相当部分を示すものである。
この第６実施形態に係るパチンコ機の概略構成は、第３実施形態に係るパチンコ機４１の構成とほぼ同じ構成である。但し、第６実施形態に係るパチンコ機の溝部の構成は、第３実施形態に係るパチンコ機４１の溝部４３の構成と異なっている。
【００４５】
図１７に示すように、第６実施形態に係るパチンコ機７１の概略構成は、上記第３実施形態に係るパチンコ機４１とほぼ同じ概略構成である（図１０乃至図１２参照）。但し、図１６に示すように、補強リブ部４２の外側側壁部４２Ｂの基端部に沿って形成される溝部７２は、前枠３の表面部に略垂直な垂直面７２Ａと、この垂直面７２Ａのパチンコ機７１の裏側方向（図１７中、下側方向）端縁部から、鋭角を形成して外側方向（図１７中、右側上方向）に延出される断面略円弧状の傾斜面７２Ｂと、から構成されている。また、この傾斜面７２Ｂの前枠３の表面側端縁部は、前面カバー部材７の前枠３の周縁表面部に対向する裏側端面内に対向するように形成されている。これにより、パチンコ機７１の前面カバー部材７を閉じた状態では、該前面カバー部材７の上辺部及び左右側辺部の後側端面部（図１７中、下側端面部）が前枠３の前側周縁部表面（図１７中、上側周縁部表面）に当接され、該前枠３の前面部は、前面カバー部材７によってほぼ覆われ、遊技者側の前面側から見えなくなる。また、溝部７２を形成する傾斜面７２Ｂの前枠３の表面側端縁部は、前面カバー部材７の上辺部及び左右側辺部の後側端面部の内側側縁部よりも少し外側方向の位置に対向する位置に形成される。また、補強リブ部４２の先端部（図１７中、上端面部）は、前面カバー部材７の裏側面の近傍まで延出されている。
また、前面カバー部材７の上辺部及び左右側辺部の溝部７２に対向する内側周縁部には、案内リブ部４４が該溝部７２の全長に渡って略垂直外側方向（図１７中、下側方向）に突き出すように直線状に形成されている。そして、前面カバー部材７を閉じた際には、この案内リブ部４４の上端部は、溝部７２内に挿入され、該溝部７２を構成する傾斜面７２Ｂの近傍に位置するように形成されている。
【００４６】
従って、この補強リブ部４２によって、合成樹脂製の前枠３の剛性を確実に向上させることができると共に、該前面カバー部材７を閉じた場合には、この補強リブ部４２及び溝部７２は前面カバー部材７によって覆われるため、パチンコ機７１の前面側周縁部に隙間などが発生することなく、見栄えを良くすることできる。
また、溝部７２の傾斜面７２Ｂの前枠３の表面側端縁部は、前面カバー部材７の上辺部及び左右側辺部の後側端面部の内側側縁部と外側側縁部との間の位置に対向するように形成されているため、補強リブ部４２を前面カバー部材７の上辺部及び左右側辺部の内側側壁部により近づけて立設することが可能となる。このため、合成樹脂製の前枠３と前面カバー部材７の側端面との間の隙間から薄いプラスチック板等を挿入しても、このプラスチック板は遊技領域に達するためには、補強リブ部４２の外側の側壁部に当たった後、略直角に曲がり、更に、この補強リブ部４２を乗り越える必要があるため、薄いプラスチック板等の遊技領域への侵入を困難にすることが可能となる。
また、合成樹脂製の前枠３と前面カバー部材７の側端面との間の隙間から薄いプラスチック板等を挿入した場合には、プラスチック板の先端部は、該プラスチック板の先端部が前面カバー部材７の案内リブ部４４に当接して、該溝部７２の断面略円弧状の傾斜面７２Ｂに沿うように（矢印７３方向に）強制的に折り曲げられる。そして、プラスチック板が更に進入した場合には、この溝部７２の全長に渡っていずれの位置においても、垂直面７２Ａの奥側端縁部で断面略円弧状の傾斜面７２Ｂに押し付けられるように押圧された状態で該溝部７２の鋭角な底部で行き止まりとなり、補強リブ部４２を乗り越えて、遊技領域方向に侵入できなくなる。また、案内リブ部４４の高さ寸法が低くても、プラスチック板の片側表面部が、溝部７２の開口部でこの案内リブ部４４に当接するため、溝部７２の垂直面７２Ａに沿って裏側方向に強制的に曲げられつつ溝部７２内に進入させられて、該溝部７２の鋭角な底部で行き止まりとなり、薄いプラスチック板などの遊技領域への侵入を極めて困難にすることが可能となる。
【００４７】
ここで、垂直面７２Ａは、第１壁面として機能する。また、傾斜面７２Ｂは、第２壁面として機能する。
【００４８】
（第７実施形態）
次に、第７実施形態に係るパチンコ機について図１８に基づいて説明する。尚、上記第１実施形態に係るパチンコ機１と同一符号は、上記第１実施形態に係るパチンコ機１と同一あるいは相当部分を示すものである。
この第７実施形態に係るパチンコ機の概略構成は、第１実施形態に係るパチンコ機１の構成とほぼ同じ構成である。但し、第７実施形態に係るパチンコ機の溝部の構成は、第１実施形態に係るパチンコ機１の溝部２４の構成と異なっている。
【００４９】
図１８に示すように、第７実施形態に係るパチンコ機８１の概略構成は、上記第１実施形態に係るパチンコ機１とほぼ同じ概略構成である（図１乃至図３参照）。但し、図１８に示すように、補強リブ部２３の外側側壁部２３Ａの基端部には、溝部８２が形成されている。この溝部８２は、前枠３の表面部に略垂直な垂直面よりも内側方向（図１８中、左側方向）に傾斜した壁面８２Ａと、この壁面８２Ａの裏側方向（図１８中、下側方向）端縁部から、鋭角を形成して外側方向（図１８中、右側上方向）に延出される平面状の傾斜面８２Ｂと、から構成されている。また、この傾斜面８２Ｂの前枠３の表面側端縁部は、前面カバー部材７の内側側壁部よりも内側に位置するように形成されている。これにより、パチンコ機８１の前面カバー部材７を閉じた状態では、該前面カバー部材７の上辺部及び左右側辺部の後側端面部（図１８中、下側端面部）が前枠３の前側周縁部表面（図１８中、上側周縁部表面）に当接され、該前枠３の前面部は、前面カバー部材７によってほぼ覆われ、遊技者側の前面側から見えなくなる。また、溝部８２を形成する傾斜面８２Ｂの前枠３の表面側端縁部は、前面カバー部材７の上辺部及び左右側辺部の後側端面部よりも少し内側になる位置に形成されている。また、補強リブ部２３の先端部（図１８中、上端面部）は、前面カバー部材７の裏側面の近傍まで延出されている。
【００５０】
従って、この補強リブ部２３によって、合成樹脂製の前枠３の剛性を確実に向上させることができると共に、該前面カバー部材７を閉じた場合には、この補強リブ部２３及び溝部８２は前面カバー部材７によって覆われるため、パチンコ機８１の前面側周縁部に隙間などが発生することなく、見栄えを良くすることできる。
また、合成樹脂製の前枠３と前面カバー部材７の側端面との間の隙間から薄いプラスチック板等を挿入しても、このプラスチック板は遊技領域に達するためには、補強リブ部２３の外側の側壁部に当たった後、略直角に曲がり、更に、この補強リブ部２３を乗り越える必要があるため、薄いプラスチック板等の遊技領域への侵入を極めて困難にすることが可能となる。また、合成樹脂製の前枠３と前面カバー部材７の側端面との間の隙間から薄いプラスチック板等を挿入した場合に、このプラスチック板が補強リブ部２３の外側側壁部２３Ａに当たってパチンコ機８１の後側方向に（矢印８３方向に）曲がった時は、この外側側壁部２３Ａの基端部に沿って形成される溝部８２の壁面８２Ａに沿って傾斜面８２Ｂに沿うように溝部８２内に進入するため、該溝部８２の鋭角な底部で行き止まりとなり、薄いプラスチック板などの遊技領域への侵入を更に極めて困難にすることが可能となる。
【００５１】
ここで、壁面８２Ａは、第１壁面として機能する。また、傾斜面８２Ｂは、第２壁面として機能する。
【００５２】
尚、傾斜面８２Ｂの前枠３の表面側方向の端縁部に断面略円弧状の円弧部（例えば、図１５中、円弧部５２Ｃに相当する。）を形成してもよい。これにより、前枠３と前面カバー部材７の側端面との間の隙間から薄いプラスチック板等を挿入しても、このプラスチック板が補強リブ部２３の外側側壁部２３Ａに当たった際に、傾斜面８２Ｂの前枠３の表面側方向の端縁部の円弧部に沿ってパチンコ機８１の後側方向に（矢印８３方向に）曲がり易くなり、この外側側壁部２３Ａの基端部に沿って形成される溝部８２の壁面８２Ａに沿って傾斜面８２Ｂに沿うように溝部８２内に進入する可能性を高くすることができると共に、該溝部８２内に進入した場合には、行き止まりとなり、薄いプラスチック板などの遊技領域への侵入を更に極めて困難にすることが可能となる。
ここで、壁面８２Ａは、第１壁面として機能する。また、傾斜面８２Ｂ及び該傾斜面８２Ｂの前枠３の表面側方向の端縁部の断面略円弧状の円弧部は、第２壁面を構成する。
【００５３】
（第８実施形態）
次に、第８実施形態に係るパチンコ機について図１９に基づいて説明する。尚、上記第２実施形態に係るパチンコ機３１と同一符号は、上記第２実施形態に係るパチンコ機３１と同一あるいは相当部分を示すものである。
この第８実施形態に係るパチンコ機の概略構成は、第２実施形態に係るパチンコ機３１の構成とほぼ同じ構成である。但し、第８実施形態に係るパチンコ機の溝部の構成は、第２実施形態に係るパチンコ機３１の溝部３３の構成と異なっている。
【００５４】
図１９に示すように、第８実施形態に係るパチンコ機９１の概略構成は、上記第２実施形態に係るパチンコ機３１とほぼ同じ概略構成である（図６及び図７参照）。但し、図１９に示すように、補強リブ部３２の外側側壁部３２Ｂの基端部に沿って形成される溝部９２は、前枠３の表面部に略垂直な垂直面よりも内側方向（図１９中、左側方向）に傾斜した壁面９２Ａと、この壁面９２Ａの裏側方向（図１９中、下側方向）端縁部から、鋭角を形成して外側方向（図１９中、右側上方向）に延出される平面状の傾斜面９２Ｂと、から構成されている。また、この傾斜面９２Ｂの前枠３の表面側端縁部は、前面カバー部材７の前枠３の周縁表面部に対向する裏側端面内に対向するように形成されている。これにより、パチンコ機９１の前面カバー部材７を閉じた状態では、該前面カバー部材７の上辺部及び左右側辺部の後側端面部（図１９中、下側端面部）が前枠３の前側周縁部表面（図１９中、上側周縁部表面）に当接され、該前枠３の前面部は、前面カバー部材７によってほぼ覆われ、遊技者側の前面側から見えなくなる。また、溝部９２を形成する傾斜面９２Ｂの前枠３の表面側端縁部は、前面カバー部材７の上辺部及び左右側辺部の後側端面部の内側側縁部よりも少し外側方向の位置に対向する位置に形成される。また、補強リブ部３２の先端部（図１９中、上端面部）は、前面カバー部材７の裏側面の近傍まで延出されている。
【００５５】
従って、この補強リブ部３２によって、合成樹脂製の前枠３の剛性を確実に向上させることができると共に、該前面カバー部材７を閉じた場合には、この補強リブ部３２は前面カバー部材７によって覆われるため、パチンコ機９１の前面側周縁部に隙間などが発生することなく、見栄えを良くすることできる。
また、溝部９２の傾斜面９２Ｂの前枠３の表面側端縁部は、前面カバー部材７の上辺部及び左右側辺部の後側端面部の内側側縁部と外側側縁部との間の位置に対向するように形成されているため、補強リブ部３２を前面カバー部材７の上辺部及び左右側辺部の内側側壁部により近づけて立設することが可能となる。このため、合成樹脂製の前枠３と前面カバー部材７の側端面との間の隙間から薄いプラスチック板等を挿入しても、このプラスチック板は遊技領域に達するためには、補強リブ部３２の外側の側壁部に当たった後、略直角に曲がり、更に、この補強リブ部３２を乗り越える必要があるため、薄いプラスチック板等の遊技領域への侵入を困難にすることが可能となる。
また、合成樹脂製の前枠３と前面カバー部材７の側端面との間の隙間から薄いプラスチック板等を挿入した場合には、プラスチック板の先端部は、溝部９２の壁面９２Ａに当たった際に、パチンコ機９１の裏側方向に（矢印９３方向に）より曲がり易くなる。そして、このプラスチック板が補強リブ部２３の外側側壁部２３Ａに当たってパチンコ機９１の後側方向に（矢印９３方向に）曲がった場合には、このプラスチック板は、溝部９２の壁面９２Ａに沿って傾斜面９２Ｂに沿うように溝部９２内に進入するため、該溝部９２の鋭角な底部で行き止まりとなり、薄いプラスチック板などの遊技領域への侵入を更に極めて困難にすることが可能となる。
【００５６】
ここで、垂直面９２Ａは、第１壁面として機能する。また、傾斜面９２Ｂは、第２壁面として機能する。
【００５７】
尚、平面状の傾斜面９２Ｂを壁面９２Ａ側に突き出る断面略円弧状の傾斜面（例えば、図１６中、傾斜面６２Ｂに相当する。）に形成してもよい。これにより、合成樹脂製の前枠３と前面カバー部材７の側端面との間の隙間から薄いプラスチック板等を挿入した場合には、プラスチック板の先端部は、溝部９２の壁面９２Ａに当たった際に、パチンコ機９１の裏側方向に（矢印９３方向に）より曲がり易くなると共に、溝部９２内に進入した薄いプラスチック板は、この溝部９２の全長に渡っていずれの位置においても、壁面９２Ａの奥側端縁部で断面略円弧状の傾斜面に押し付けられるように押圧された状態で該溝部９２の鋭角な底部で行き止まりとなり、薄いプラスチック板などの遊技領域への侵入を極めて困難にすることが可能となる。
ここで、壁面９２Ａは、第１壁面として機能する。また、壁面９２Ａ側に突き出る断面略円弧状の傾斜面は、第２壁面として機能する。
【００５８】
（第９実施形態）
次に、第９実施形態に係るパチンコ機について図２０に基づいて説明する。尚、上記第３実施形態に係るパチンコ機４１と同一符号は、上記第３実施形態に係るパチンコ機４１と同一あるいは相当部分を示すものである。
この第９実施形態に係るパチンコ機の概略構成は、第３実施形態に係るパチンコ機４１の構成とほぼ同じ構成である。但し、第９実施形態に係るパチンコ機の溝部の構成は、第３実施形態に係るパチンコ機４１の溝部４３の構成と異なっている。
【００５９】
図２０に示すように、第９実施形態に係るパチンコ機１０１の概略構成は、上記第３実施形態に係るパチンコ機４１とほぼ同じ概略構成である（図１０乃至図１２参照）。但し、図２０に示すように、補強リブ部４２の外側側壁部４２Ｂの基端部に沿って形成される溝部１０２は、前枠３の表面部に略垂直な垂直面よりも内側方向（図２０中、左側方向）に傾斜した壁面１０２Ａと、この壁面１０２Ａの裏側方向（図２０中、下側方向）端縁部から、鋭角を形成して外側方向（図２０中、右側上方向）に延出される平面状の傾斜面１０２Ｂと、から構成されている。また、この傾斜面１０２Ｂの前枠３の表面側端縁部は、前面カバー部材７の前枠３の周縁表面部に対向する裏側端面内に対向するように形成されている。これにより、パチンコ機１０１の前面カバー部材７を閉じた状態では、該前面カバー部材７の上辺部及び左右側辺部の後側端面部（図２０中、下側端面部）が前枠３の前側周縁部表面（図２０中、上側周縁部表面）に当接され、該前枠３の前面部は、前面カバー部材７によってほぼ覆われ、遊技者側の前面側から見えなくなる。また、溝部１０２を形成する傾斜面１０２Ｂの前枠３の表面側端縁部は、前面カバー部材７の上辺部及び左右側辺部の後側端面部の内側側縁部よりも少し外側方向の位置に対向する位置に形成される。また、補強リブ部４２の先端部（図２０中、上端面部）は、前面カバー部材７の裏側面の近傍まで延出されている。
また、前面カバー部材７の上辺部及び左右側辺部の溝部１０２に対向する内側周縁部には、案内リブ部４４が該溝部１０２の全長に渡って略垂直外側方向（図２０中、下側方向）に突き出すように直線状に形成されている。そして、前面カバー部材７を閉じた際には、この案内リブ部４４の上端部は、溝部１０２内に挿入され、該溝部１０２を構成する傾斜面１０２Ｂの近傍に位置するように形成されている。
【００６０】
従って、この補強リブ部４２によって、合成樹脂製の前枠３の剛性を確実に向上させることができると共に、該前面カバー部材７を閉じた場合には、この補強リブ部４２及び溝部１０２は前面カバー部材７によって覆われるため、パチンコ機１０１の前面側周縁部に隙間などが発生することなく、見栄えを良くすることできる。
また、溝部１０２の傾斜面１０２Ｂの前枠３の表面側端縁部は、前面カバー部材７の上辺部及び左右側辺部の後側端面部の内側側縁部と外側側縁部との間の位置に対向するように形成されているため、補強リブ部４２を前面カバー部材７の上辺部及び左右側辺部の内側側壁部により近づけて立設することが可能となる。このため、合成樹脂製の前枠３と前面カバー部材７の側端面との間の隙間から薄いプラスチック板等を挿入しても、このプラスチック板は遊技領域に達するためには、補強リブ部４２の外側の側壁部に当たった後、略直角に曲がり、更に、この補強リブ部４２を乗り越える必要があるため、薄いプラスチック板等の遊技領域への侵入を困難にすることが可能となる。
また、合成樹脂製の前枠３と前面カバー部材７の側端面との間の隙間から薄いプラスチック板等を挿入した場合には、プラスチック板の先端部は、該プラスチック板の先端部が前面カバー部材７の案内リブ部４４に当接して、該溝部１０２の傾斜面１０２Ｂに沿うように（矢印１０３方向に）強制的に折り曲げられる。そして、プラスチック板が更に進入した場合には、この溝部１０２の全長に渡っていずれの位置においても、壁面１０２Ａの奥側端縁部で傾斜面１０２Ｂに押し付けられるように押圧された状態で該溝部１０２の鋭角な底部で行き止まりとなり、補強リブ部４２を乗り越えて、遊技領域方向に侵入できなくなる。また、案内リブ部４４の高さ寸法が低くても、プラスチック板の片側表面部が、溝部１０２の開口部でこの案内リブ部４４に当接するため、溝部１０２の壁面１０２Ａに沿って裏側方向に強制的に曲げられつつ溝部１０２内に進入させられて、該溝部１０２の鋭角な底部で行き止まりとなり、薄いプラスチック板などの遊技領域への侵入を極めて困難にすることが可能となる。
【００６１】
ここで、壁面１０２Ａは、第１壁面として機能する。また、傾斜面１０２Ｂは、第２壁面として機能する。
【００６２】
尚、平面状の傾斜面１０２Ｂを壁面１０２Ａ側に突き出る断面略円弧状の傾斜面（例えば、図１７中、傾斜面７２Ｂに相当する。）に形成してもよい。これにより、合成樹脂製の前枠３と前面カバー部材７の側端面との間の隙間から薄いプラスチック板等を挿入した場合には、プラスチック板の先端部は、前面カバー部材７の案内リブ部４４に当たった際に、パチンコ機１０１の裏側方向に（矢印１０３方向に）より曲がり易くなると共に、溝部１０２内に進入した薄いプラスチック板は、この溝部１０２の全長に渡っていずれの位置においても、壁面１０２Ａの奥側端縁部で断面略円弧状の傾斜面に押し付けられるように押圧された状態で該溝部１０２の鋭角な底部で行き止まりとなり、薄いプラスチック板などの遊技領域への侵入を極めて困難にすることが可能となる。
ここで、壁面１０２Ａは、第１壁面として機能する。また、壁面１０２Ａ側に突き出る断面略円弧状の傾斜面は、第２壁面として機能する。
【００６３】
また、本発明は、前記第１実施形態乃至第９実施形態に限定されるものではなく、本発明の要旨を逸脱しない範囲内で種々の改良、変形が可能であることは勿論である。
例えば、前記第１実施形態乃至第９実施形態では、各補強リブ部２３、３２、４２及び各溝部２４乃至１０２は、上ヒンジ４に対向する部分が一部途切れた形状に形成されているが、前面カバー部材７の内側側壁部の形状に合わせて連続した形状に形成してもよい。これにより、上ヒンジ４近傍の前面カバー部材７の側壁部と前枠３との隙間から薄いプラスチック板（例えば、厚さ寸法約０．５ｍｍのプラスチック板）等を挿入した場合においても、該プラスチック板等は、各補強リブ部２３、３２、４２に当接後、各溝部２４乃至１０２内に進入して、奥側で行き止まりとなり、上ヒンジ４近傍の前面カバー部材７の側壁部と前枠３との隙間から遊技領域方向への侵入を更に困難にすることができる。
【符号の説明】
【００６４】
１、３１、４１、５１、６１、７１、８１、９１、１０１    パチンコ機
２                                                      外枠
３                                                      前枠
７                                                      前面カバー部材
８                                                      窓部
２１                                                    開口部
２３、３２、４２                                        補強リブ部
２３Ａ、３２Ｂ、４２Ｂ                                  外側側壁部
２４、３３、４３、５２、６２、７２、８２、９２、１０２  溝部
２４Ａ、３３Ａ、４３Ａ、５２Ａ、６２Ａ、７２Ａ          垂直面
２４Ｂ、３３Ｂ、４３Ｂ、５２Ｂ、６２Ｂ、７２Ｂ、８２Ｂ、９２Ｂ、１０２Ｂ                                                        傾斜面
３２Ａ、４２Ａ                                          面取部
４４                                                    案内リブ部
８２Ａ、９２Ａ、１０２Ａ                                壁面
【図１】
0004352418.tif 000002
【図２】
0004352418.tif 000003
【図３】
0004352418.tif 000004
【図４】
0004352418.tif 000005
【図５】
0004352418.tif 000006
【図６】
0004352418.tif 000007
【図７】
0004352418.tif 000008
【図８】
0004352418.tif 000009
【図９】
0004352418.tif 000010
【図１０】
0004352418.tif 000011
【図１１】
0004352418.tif 000012
【図１２】
0004352418.tif 000013
【図１３】
0004352418.tif 000014
【図１４】
0004352418.tif 000015
【図１５】
0004352418.tif 000016
【図１６】
0004352418.tif 000017
【図１７】
0004352418.tif 000018
【図１８】
0004352418.tif 000019
【図１９】
0004352418.tif 000020
【図２０】
0004352418.tif 000021